Podtech/llm-jp-corpus-v4-ja_patent huggingface dataset:
(57)【要約】【課題】  さてこれから外国語を学ぼうという意欲に燃える初心者に対して、学識経験者はともに精通している日本語か当該外国語か、両者から基本となる、元になる言語を選ぶことになるが、私としては当然日本語を中心としたものがよいと思う。【解決手段】  例えば、日本語では、縦書きと横書きの双方が使用されており、新聞等の紙面でも、縦書きと横書きが混在する事は珍しくない。ここでは、さらに進んでこの縦書きと横書きをひとつの単語の中に混在させ、より標準的な外国人の発音に日本の文字を用いて迫ろうという試みである。【選択図】図１
2011090274.tif 000002
【特許請求の範囲】
【請求項１】
β方式発音記号案で、例えば、左から右への書き方の中に上下の文字をおき、又、上から下への書き方の中に左右の文字をおく。
【請求項２】
β方式発音記号案で、例えば、左から右への書き方の中に上下の文字をおき、又、上から下への書き方の中に左右の文字をおいて、当該上下及び左右の文字間のサイズも、発音中に占める強弱で大小を決める。
【請求項３】
β方式発音記号案で、ひらがな、カタカナの違いを生かし、どちらかを普通に読む語、他方を長めに、ゆっくり読む語に当てる、短く急に読む語の場合は、これまでと同様、拗音、促音などに用いられた、「ゃ」「ゅ」「ょ」等の小さくした語を用い、ヘボン式ローマ字にしたときの、母音を意識すべきに過ぎない段階のものは、（  ）で囲む。
【請求項４】
β方式発音記号案で、文字のフォントスタイルを利用して、フォントの形で読むスピードを変える、当然太字ほどゆっくり読むことにするのが妥当かと思われるが、これは逆でもよいし、通常は標準と太字の２種になるか、容易に識別可能なら細字、標準、太字の３種以上もありうる。
【請求項５】
β方式発音記号案で、文字のフォントサイズを利用して、サイズの大きさで読むスピードを変える、当然大きな文字ほどゆっくり読むことにするのが妥当かと思われるが、これは逆でもよく、サイズも読者が見て一目瞭然なら、３種以上になる可能性もある。
【請求項６】
β方式発音記号案でも、発音記号は従来の「’」「”」を用いるか  若しくは、一重二重以上の「アンダーバー」もしくは「オーバーバー」を用いる。
【発明の詳細な説明】
【技術分野】
【０００１】  この発明は、取っ付き難く、例えば英語を学習する際に、またひとつ余計な言語を覚えなければならないという気分にさせる発音記号の、取り組みやすく、かつ細かい表現も今ある発音記号に劣らない言語学の技術に関するものである。
【背景技術】
【０００２】  従来より、例えば日本人が英語を学ぶ際、英語には日本語には無い発音が多く見受けられ、英語の発音記号はその持つ機能を十分に発揮してきたが、一面、英語を全く知らないものが見るには、英語以外にまた一つの言語と映るのも完全に否定はできない。
ややもすれば、英語の文章読解や、英作文には直接かかわらない、ということで発音記号の学習は、どうしても後回しにする、すなわち永遠にやらない、というケースももはや見過ごせない。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】  日本人が外国語を学ぶ際、何等かの発音記号が必要であるとして、ひとつの見方として、それが母国語である日本語に近い、日本語から発生変遷を遂げたものなのか  それがこれから学ぶ語たる外国語から発生変遷を遂げたものなのか、という見方もできる。
発音記号を作成された人、人々は、当然日本語に於いても、当該外国語に於いても母国語以上に精通しておられる人々が、さてこれから外国語を学ぼうという意欲に燃える初心者に対して、ともに精通している日本語か当該外国語か、両者から基本となる、元になる言語を選ぶことになるが、私としては当然日本語を中心としたものがよいと思う。
この点で、国際音声学会の定めた国際音声記号（こくさいおんせいきごう、ＩＰＡ：Ｉｎｔｅｒｎａｔｉｏｎａｌ  Ｐｈｏｎｅｔｉｃ  Ａｌｐｈａｂｅｔ）もまた、私の意図するところとは多少異なる。
例えば、日本語では、縦書きと横書きの双方が使用されており、
新聞等の紙面でも、縦書きと横書きが混在する事は珍しくない。
ここでは、さらに進んでこの縦書きと横書きをひとつの単語の中に混在させ、
より標準的な外国人の発音に日本の文字を用いて迫ろうという試みである。
【課題を解決するための手段】
【０００６】  例えば、左から右への書き方の中に上下の文字をおき、
又、上から下への書き方の中に左右の文字をおく。
上下におく文字間でも、発音に占める割合の強弱でサイズを変えることも一案である。
ほぼ同じ強弱の場合は、五十音順に従えばよい。【０００７】  ひらがな、カタカナの違いを生かしどちらかを普通に読む語、他方を長めに、ゆっくり読む語に当てる、短く急に読む語の場合は、これまでと同様、拗音、促音などに用いられた、「ゃ」「ゅ」「ょ」等の小さくした語を用いる。
前記拗音にも満たない語の場合、（  ）で囲んでより細かいところまで、その存在を表現する。【０００８】文字のフォントスタイルを利用して、フォントの形で読むスピードを変える、当然太字ほどゆっくり読むことにするのが妥当かと思われるが、これは逆でもよいし、通常は標準と太字の２種になるが、一般の人に識別可能なら細字、標準、太字の３種以上も可能であろう。【０００９】文字のフォントサイズを利用して、サイズの大きさで読むスピードを変える、当然大きな文字ほどゆっくり読むことにするのが妥当かと思われるが、これは逆でもよく、サイズも読者が見て一目瞭然なら、３種以上になる可能性もある。【００１０】発音記号は従来の「’」「”」を用いるか若しくは、一重、二重の「アンダーバー」もしくは「オーバーバー」を用いる。
【発明の効果】
【００１１】    例えば、日本語では、縦書きと横書きの双方が使用されており、
新聞等の紙面でも、縦書きと横書きが混在する事は珍しくない。
ここでは、さらに進んでこの縦書きと横書きをひとつの単語の中に混在させ、
より標準的な外国人の発音に日本の文字を用いて迫ろうという試みである。
【図面の簡単な説明】
【００１２】
【図１】β方式発音記号案（横書き・・・英語等）
【発明を実施するための形態】
【・・・・】
【実施例】
【・・・・】
【産業上の利用可能性】
【・・・・】
【符号の説明】
【００１３】１、英単語のスペル  ａｐｐｌｅ
２、従来の発音記号
３、日本語表記
４、β方式発音記号案
【図１】
2011090274.tif 000003
(57)【要約】【課題】コンピュータ画像人物とヴァーチャルに対戦することにより、スポーツの世界で実際に使用されている強さの基準としての級や段やランキングをその対戦者の人間に認定するものである。【解決手段】コンピュータ画像内の人物を、任意に指定した級や段やランキングの強さで動くようにプログラムする。この画像人物とヴァーチャルに人間が対戦する。この人間をカメラで撮らえ、その対戦技量をコンピュータで判断し、その人間の強さのランクを判断し、級や段やランキングを認定する。【選択図】図１
2011090273.tif 000002
【特許請求の範囲】
【請求項１】
スポーツの世界で実際に使用されている強さの基準としての級や段やランキングを任意に設定することにより、その設定した強さでコンピュータ画像人物が動くようにプログラムする。この画像人物とヴァーチャルに対戦する人間をカメラで撮らえ、人間の対戦技量や力量をコンピュータで解析し、その強さの度合いを判断し、級や段やランキングでランク分けするようにしたシステム。
【請求項２】
請求項１において、カメラで撮らえた人間の画像をコンピュータ画面に表示するようにしたシステム。
【発明の詳細な説明】
【技術分野】
【０００１】  級や段やランキングによって強さの度合いが判別されているスポーツの世界に関するものであり、コンピュータ画像内の人物像と実在の人物をヴァーチャルに対戦させることにより、その実在人物の強さの度合いをコンピュータにより判定し、級や段やランキングを認定するコンピュータシステムに関するものである。
【背景技術】
【０００２】  従来の技術としては、コンピュータ画像内の人物像同士を対戦させるゲームはいろいろとあったが、任意の級や段やランキングの強さを持った動きをするコンピュータ画像内の人物像と実在の人物がヴァーチャルに対戦し、その実在人物の強さの度合いをコンピュータが判定し、その度合いに応じて級や段あるいはランキングを実在人物に認定するコンピュータシステムはこれまでには無かった。
【発明の表示】
【発明が解決しようとする課題】
【０００３】  コンピュータ画像内の人物像と実在の人物をヴァーチャルに対戦させて、その実在人物の強さの度合いを判定し、その強さに対して級や段あるいはランキングを認定するコンピュータシステムを実現するごとを目的とするものである。
【課題を解決するための手段】
【０００４】  コンピュータ画像内の人物に予め級や段あるいはランキングの度合いに応じた動きをプログラムしておく。この画像内の人物に対してヴァーチャルに対戦する実在人物の動きをカメラで撮らえ、画像内の人物との対戦具合をコンピュータで判断し、その実在人物の強さの度合いを判定し、それに相応する級や段あるいはランキングを認定する。
【発明の効果】
【０００５】  級や段あるいはランキングによって強さの区別がなされているスポーツの世界において、本発明は上述のようなシステムの為、指定された任意の強さを持つコンピュータ画像の人物とヴァーチャルに対戦することにより、自らの強さの度合い、即ち級や段あるいはランキングを知ることが可能となる。
【０００６】  例えば、空手や剣道において昇級、昇段するには、実際に道場に通って練習を重ねてその上で、実際に試合をして初めて級や段が与えられるものである。
【０００７】  しかし、本発明により、体力に自信が持てなかったり、怖くて空手の道場には行けなくても、さらには怪我をすることもなく、自分一人である程度客観的な級や段あるいはランキングを知ることが出来るようになる。
【０００８】  さらにヴァーチャル対戦により訓練することで、昇級、昇段あるいはランキング上昇もできる為、体力の向上を目指すことの励みになる。
【０００９】  画像人物の動きを自由にプログラムすることにより、空手のように多種多様な流派や組織があっても、その会派に合致したコンピュータによる昇級、昇段の認定システムを提供することが可能となる。
【発明を実施するための最良の形態】
【００１０】  以下、本発明の実施の形態を空手の世界を想定しながら、図１に基づいて説明する。【００１１】  図１では、任意に指定した段位に相当する技や力をもって動くようにプログラムされた画像人物２を画面１に映し出す。この画面１の画像人物２に向かい合うように実在の人間３が対面する。【００１２】  この人間３をカメラ４で撮らえ、その動きをコンピュータ５で解析しながら、あるいは汲み取りながら、画像人物２が実在の人間３と対戦するようにもプログラムしておく。【００１３】  例えば、人間３が画像人物２に対して、攻撃する動きをすれば、その動作に対して、画像人物２がそれを受けて捌く動作をする。また、その逆もある。このような対戦を繰り返す。【００１４】  そして、カメラ４で撮らえた人間３の攻撃や受けの動作やスピード等の技量をコンピュータ５で解析、集積する。一定時間経過すれば、対戦を終了させる。【００１５】そして、任意に指定した段位で動く画像人物２と人間３の対戦技量をコンピュータ５で解析し、人間３の段位を認定する。【００１６】流派によっては、昇段するには１０人組手などの多人数との対戦が必要とされる場合もある。その場合には、複数の画像人物２と対戦させて、それを集計し、解析して段位を認定する。
【図面の簡単な説明】
【００１７】
【図１】本発明の実施形態を示す見取り図である。
【符号の説明】
【００１８】１  画面
２  画像人物
３  人間
４  カメラ
５  コンピュータ
【図１】
2011090273.tif 000003
(57)【要約】【課題】    コミュニケーション能力を、発声、間の取り方の観点から育成し、エンタテイメントにも応用する。【解決手段】    音響分析によってユーザーの相槌の発声音を分析し、相槌のタイミング、シチュエイションと合わせて相手に与える心象を心理学的にはじき出し、相手の会話内容を分岐させる。相手の声に有名アニメーション声優などを起用し、あこがれの会話を実現するなどして、エンタテイメント性も高める。【特許請求の範囲】
【請求項１】
まず、ユーザーの話し相手の話す声を録音しておく。そして、再生された声に対し、ユーザーが声で相槌をうつ。相槌の言葉はあらかじめ決められている。その時の相槌のタイミングを計っておく。また、相槌の発声音を音響分析し、声の高低、ボリューム、明瞭さ、イントネイション、いきもれ、速度などの各項目を、項目ごとにデータ化する。そして、相槌のタイミングとその音響のデータと、その相槌の対象となるユーザーの相手の話の内容との組み合わせから、心理学的見地よりその相槌によってユーザーの相手が受ける心象をはじき出し、その心象からユーザーの相手の話し方や内容が分岐してゆく。これにより疑似会話を実現する。
【請求項２】
コミュニケーション能力を育成する手段として、相手への言葉（台詞）の選択ではなく、発声（声の高低、ボリューム、明瞭さ、イントネイション、いきもれ、速度など）や、間の取り方の方面の育成を実現させる。
【請求項３】
本発明において、有名声優などを起用して、「あの素敵な人と会話ができる」といった、歴史上の有名人やアニメのキャラクター、本発明のオリジナルキャラクターなどとの架空の夢の会話を実現するといったエンタテイメントも実現させる。
【請求項４】
本発明において、有名声優などを起用して、「あの素敵な人と会話ができる」といった、歴史上の有名人やアニメのキャラクター、本発明のオリジナルキャラクターなどとの架空の夢の会話を実現するといったエンタテイメントも実現させる際、会話のシチュエーションから、好きな声の相手との疑似恋愛なども実現させる。このようにして、シチュエイションからもエンタテイメント性を高める。
【発明の詳細な説明】
【技術分野】
【０００１】  本発明は、相手の話に対するユーザーの相槌の発声音響や間によって擬似的なコミュニケーションを行うことにより、コミュニケーション力の成長・学習や、エンタテイメントとしてのコミュニケーションを楽しむゲームに関する。
【発明の概要】
【発明が解決しようとする課題】
【０００２】  コミュニケーション能力を育成する手段として、相手への言葉（台詞）の選択ではなく、発声（声の高低、ボリューム、明瞭さ、イントネイション、いきもれ、速度など）や、間の取り方の方面の育成を実現させる。【０００３】  また、本発明を利用し、エンタテイメントとしてのコミュニケーション装置も実現する。
【課題を解決するための手段】
【０００４】  まず、ユーザーの話し相手の話す声を録音しておく。そして、再生された声に対し、ユーザーが声で相槌をうつ。相槌の言葉はあらかじめ決められている。その時の相槌のタイミングを、タイマーで計っておく。また、相槌の発声音を音響分析し、声の高低、ボリューム、明瞭さ、イントネイション、いきもれ、速度などの各項目を、項目ごとにデータ化する。そして、相槌のタイミングとその音響のデータと、その相槌の対象となるユーザーの相手の話の内容との組み合わせから、心理学的見地よりその相槌によってユーザーの相手が受ける心象をはじき出し、その心象からユーザーの相手の話し方や内容が分岐してゆく。これにより疑似会話を実現する。【０００５】  また、有名声優などを起用して、「あの素敵な人と会話ができる」といった、歴史上の有名人やアニメのキャラクター、本発明のオリジナルキャラクターなどとの架空の夢の会話を実現するといったエンタテイメントも実現させる。【０００６】  その際、会話のシチュエーションから、好きな声の相手との疑似恋愛なども実現させる。
(57)【要約】【課題】    退屈になりがちの記憶学習において、エンタテイメント性を高め、高い学習効果を実現する。【解決手段】    ユーザーに合わせた声優、シチュエイションでの音声聴講学習を行う。【特許請求の範囲】
【請求項１】
有名アニメーション声優などを起用し、様々なシチュエイション設定（恋人が自分の勉強に付き合ってくれるとか、あこがれの先生に特別に教えてもらうなど）で記憶学習内容を話した声を録音する。それを再生し、ユーザーに聴かせる。記憶学習には、外国語、数学、国語、歴史、化学などの学科科目のみに限らず、「恋愛の手ほどき」などの、「覚える」もの全般も含む。
【請求項２】
ユーザーに本発明を聴かせた後、確認テストを行い、間違った箇所を、再確認テストする。それに伴い、声優に、その状況に合った台詞（「今度はちゃんと聴いててね」など）を話させ、録音しておいて、再テストの際再生する。
【発明の詳細な説明】
【技術分野】
【０００１】  本発明は、外国語、歴史、数学等の学習において、記憶内容等を楽しく効率的に覚える学習装置に関する。
【発明の概要】
【発明が解決しようとする課題】
【０００２】  従来の記憶学習において、音声を聴くことで覚える形式のものについてエンタテイメント性を高め、より効率的な学習を実現させる。
【課題を解決するための手段】
【０００３】  有名アニメーション声優などを起用し、様々なシチュエイション設定（恋人が自分の勉強に付き合ってくれるとか、あこがれの先生に特別に教えてもらうなど）で記憶学習内容を話した声を録音する。それを再生し、ユーザーに聴かせる。
(57)【要約】【課題】コネクタ装置のサイズを維持しつつ、コネクタ端子の陥没を防止する機構を提供する。【解決手段】コネクタ装置は、端子部材を備えるメモリ基板を収容するハウジングに、端子部材と接触するように付勢され取り付けられるコネクタ端子を備えるコネクタ装置であって、記コネクタ端子の端子部材と接触しない面を、コネクタ端子の端子部材と接触する面に向けて押すように付勢され取り付けられる支持壁部を備えることを特徴とする。【選択図】図１
2011076842.tif 000002
【特許請求の範囲】
【請求項１】
端子部材を備えるメモリ基板を収容するハウジングに、前記端子部材と接触するように付勢され取り付けられるコネクタ端子を備えるコネクタ装置であって、
前記コネクタ端子の前記端子部材と接触しない面を、前記コネクタ端子の前記端子部材と接触する面に向けて押すように付勢され取り付けられる支持壁部を備えることを特徴とするコネクタ装置。
【請求項２】
前記支持壁部は、前記ハウジングに接続されるばね支持部によって保持されることを特徴とする請求項２に記載のコネクタ装置。
【請求項３】
端子部材を備えるメモリ基板を収容するハウジングに、前記端子部材と接触するように付勢され取り付けられるコネクタ端子を備える電子機器であって、
前記コネクタ端子の前記端子部材と接触しない面を、前記コネクタ端子の前記端子部材と接触する面に向けて押すように付勢され取り付けられる支持壁部を備えることを特徴とする電子機器。
【請求項４】
前記支持壁部は、前記ハウジングに接続されるばね支持部によって保持されることを特徴とする請求項３に記載の電子機器。
【発明の詳細な説明】
【技術分野】
【０００１】
本発明は、メモリ基板を取り付けるコネクタにおけるコネクタ端子の陥没を防止する技術に関するものである。
【背景技術】
【０００２】
従来から、パーソナルコンピュータ等の電子機器は、各種のメモリ基板を利用するために、メモリ基板用コネクタを備えている。
【０００３】
例えば、特許文献１には、メモリーカードの装着・脱着が可能なコネクタが開示されている。
【０００４】
【特許文献１】特平１１−２４２９７２公報
【発明の開示】
【発明が解決しようとする課題】
【０００５】
ところで、上述のようにメモリ基板を取り付けるためには、コネクタ側のコネクタ端子と、メモリ基板の端子面とが接触することになる。
【０００６】
図２に示すのは、従来のコネクタ端子とメモリ基板の端子面とが接触する際の動作を示す例（断面図）である。
【０００７】
しかしながら、コネクタ端子は、金属であるため、上下の動きを繰り返すと、金属疲労によってバネ性が失われることが多々ある。
【０００８】
バネ性が失われることにより、コネクタ端子を上へと押し上げる力が失われ、コネクタ端子が図３に示すように陥没してしまう。
【０００９】
なお、コネクタ端子の幅は一般的に１ｍｍ弱程度であり、バネ性を強くするためには、コネクタ端子の横幅を太くすることが考えられるが、コネクタも大型化してしまい、電子機器内の全体の基板の配置にも影響する。
【００１０】
そこで、本発明は、コネクタの大きさを維持しつつ、コネクタ端子の陥没を防止する機構を提供することを目的とする。
【課題を解決するための手段】
【００１１】
本発明の第１のコネクタ装置は、端子部材を備えるメモリ基板を収容するハウジングに、前記端子部材と接触するように付勢され取り付けられるコネクタ端子を備えるコネクタ装置であって、前記コネクタ端子の前記端子部材と接触しない面を、前記コネクタ端子の前記端子部材と接触する面に向けて押すように付勢され取り付けられる支持壁部を備えることを特徴とする。
【００１２】
本発明の第２のコネクタ装置は、前記支持壁部は、前記ハウジングに接続されるばね支持部によって保持されることを特徴とする。
【発明の効果】
【００１３】
本発明によれば、コネクタの大きさを維持しつつ、コネクタ端子の陥没を防止する機構を提供することができる。
【図面の簡単な説明】
【００１４】
【図１】本発明の実施の形態のコネクタを説明するための図である。
【図２】本発明の実施の形態のコネクタの動作を説明するための図である。
【図３】本発明の実施の形態のコネクタの支持部材を説明するための図である。
【図４】従来のメモリ基板を装着するコネクタを説明するための図である。
【図５】従来のコネクタにおいて、コネクタ端子が陥没する問題を説明するための図である。
【発明を実施するための形態】
【００１５】
以下、図面を参照して本発明を実施するための形態について説明する。図１は本発明の実施の形態におけるメモリ基板を装着するコネクタの断面図である。
【００１６】
図１を参照して説明する。本発明の実施の形態のコネクタ１は、支持壁部１１（図１における一体型シャフトの左側部分）と、支持壁部１２（図１における一体型シャフトの下側部分）と、コネクタ端子１４（図１におけるコネクタ端子）と、ストッパ部１５（図１におけるストッパ面）と、ハウジング１６（図１におけるハウジング）とから構成される。
【００１７】
支持壁部１１と、支持壁部１２とは、一体となっており、支持壁部１１と支持壁部１２とが接する位置に支持部材１３が備えられている。支持部材１３は、図３に示すように、バネ１７によって支持されている。
【００１８】
次に、本発明の実施の形態のコネクタの動作を、図２を参照して説明する。ユーザーによって、メモリ基板２が挿入されると、支持壁部１１の先端とメモリ基板２の先端とが、接触する（図２ａ）。
【００１９】
図２ａに示す状態で、メモリ基板２を下に下げる力が加えられると（図２ｂ）、コネクタ端子１４とメモリ基板２とが接触する（図２ｃ）。
【００２０】
図２ｃに示すように、コネクタ端子１４は、支持壁部１２による上に押し上げる圧力がかかっており、陥没するおそれがない。これは、支持部材１３に備えられているバネ１７が支持壁部１２を押し上げる力を働かせるからである。
【００２１】
メモリ基板を取り外すと、支持壁部１２が上に戻ろうとする力が働き、コネクタ端子１４を押し上げる。
【００２２】
以上により、コネクタ端子１４の上下移動を繰り返しても陥没することなく、コネクタ端子１４の接触面の接圧が保てることになる。このようにして、コネクタ端子の陥没を防止する機構が提供される。
【００２３】
また、以上のようなコネクタを備えることにより、電子機器全体の基板の配置に影響を及ばさずに、コネクタ端子の陥没を防止する機構を提供することが可能となる。
【符号の説明】
【００２４】
１  コネクタ
２  メモリ基板
１１  支持壁部
１２  支持壁部
１３  支持部材
１４  コネクタ端子
１５  ストッパ部
１６  ハウジング
１７  バネ
【図１】
2011076842.tif 000003
【図２】
2011076842.tif 000004
【図３】
2011076842.tif 000005
【図４】
2011076842.tif 000006
【図５】
2011076842.tif 000007
(57)【要約】【課題】非接触ＩＣ媒体対応機器において、利用者の意図しないＩＣ媒体のタッチによる処理を避けるＩＣ媒体タッチ部の構造を提供する。【解決手段】非接触ＩＣ媒体対応機器において、ＩＣ媒体タッチ部とその周囲に著しい段差を設ける、あるいは、ＩＣ媒体タッチ部を笠状に覆う形状を設ける等、利用者の意図しないＩＣ媒体のタッチが行われないよう、同機器のＩＣ媒体読取可能な範囲へＩＣ媒体が進入しない構造を提供する。例えば、ＩＣ媒体４が鞄や衣類のポケットに収納された状態では、ＩＣ媒体タッチ部２に触れることが出来ないように、土手３Ａ、３Ｂのような構造物をＩＣ媒体タッチ部２の周囲に配置する。【選択図】図１
2011076537.tif 000002
【特許請求の範囲】
【請求項１】
ＩＣ媒体とデータの授受を行う非接触ＩＣ媒体対応機器において、
ＩＣ媒体タッチ部の周囲に凸部を設けることを特徴とするＩＣ媒体対応機器。
【請求項２】
ＩＣ媒体とデータの授受を行う非接触ＩＣ媒体対応機器において、
ＩＣ媒体タッチ部の周囲に少なくとも２か所以上の凸部を設けることを特徴とするＩＣ媒体対応機器。
【請求項３】
ＩＣ媒体とデータの授受を行う非接触ＩＣ媒体対応機器において、
ＩＣ媒体タッチ部を、該ＩＣ媒体と該非接触ＩＣ媒体対応機器とのデータ授受を妨げる機能を有する物体で覆い、該物体と前記ＩＣ媒体タッチ部との間に設けられた隙間を通してＩＣ媒体を前記ＩＣ媒体タッチ部に近づけることにより、該ＩＣ媒体とデータの授受を行うことを特徴とするＩＣ媒体対応機器。
【請求項４】
ＩＣ媒体とデータの授受を行う非接触ＩＣ媒体対応機器において、
ＩＣ媒体タッチ部とその周囲に段差を設けることを特徴とするＩＣ媒体対応機器。
【発明の詳細な説明】
【技術分野】
【０００１】
本発明は、非接触ＩＣ媒体対応機器のＩＣ媒体タッチ部の構造に関する。
【背景技術】
【０００２】
従来、ＩＣ媒体タッチ部が平面もしくはそれに近い形状であるため、利用者がＩＣ媒体の利用を意図していない場合において、鞄や衣類のポケット等に入れているＩＣ媒体が、非接触ＩＣ媒体対応機器のＩＣ媒体タッチ部に近づくことにより、利用者の意図に反した処理が行われていた。
【０００３】
磁界を遮断するケースにＩＣ媒体を収納すれば、意図に反した処理が行われることはない。しかし、これは同ケースを所持するＩＣ媒体の利用者のみに有効で、同ケースを所持しないものは意図に反した処理が行われることがある。
【先行技術文献】
【特許文献】
【０００４】
【特許文献１】特開平０９−２６９９８５号公報
【発明の概要】
【発明が解決しようとする課題】
【０００５】
利用者のＩＣ媒体が意図しないで非接触ＩＣ媒体対応機器のＩＣ媒体タッチ部に触れて処理が行われると、利用者がその処理に気付かない場合は、金銭的な損失を伴い、また、利用者がその処理に気付き係員に申し出た場合は、係員がＩＣ媒体の状態を処理前の状態に戻す等の手間がかかり、時間的な損失を伴う恐れがある。
【０００６】
そこで、本発明は、上記課題を解決するためになされたものであって、その目的は、利用者の意図しないＩＣ媒体のタッチによる処理を避けるＩＣ媒体タッチ部の構造を提供することである。
【課題を解決するための手段】
【０００７】
本発明においては、上記課題を次のようにして解決する。
それはすなわち、ＩＣ媒体タッチ部とその周囲に著しい段差を設ける、あるいは、ＩＣ媒体タッチ部を笠状に覆う形状を設ける等により、利用者の意図しないＩＣ媒体のタッチが行われないよう、同機器のＩＣ媒体読取可能な範囲へＩＣ媒体を進入させない構造である。
【０００８】
本発明は、非接触ＩＣ媒体対応機器の外部構造によって、利用者の意図しないＩＣ媒体のタッチが行われないよう、同機器のＩＣ媒体読取可能範囲へＩＣ媒体を入れさせないことを最も重要な特徴とする。
【発明の効果】
【０００９】
請求項１の発明によれば、
ＩＣ媒体とデータの授受を行う非接触ＩＣ媒体対応機器において、
ＩＣ媒体タッチ部の周囲に凸部を設けることを特徴とするＩＣ媒体対応機器。
【００１０】
請求項２の発明によれば、
ＩＣ媒体とデータの授受を行う非接触ＩＣ媒体対応機器において、
ＩＣ媒体タッチ部の周囲に少なくとも２か所以上の凸部を設けることを特徴とするＩＣ媒体対応機器。
【００１１】
請求項３の発明によれば、
ＩＣ媒体とデータの授受を行う非接触ＩＣ媒体対応機器において、
ＩＣ媒体タッチ部を、該ＩＣ媒体と該非接触ＩＣ媒体対応機器とのデータ授受を妨げる機能を有する物体で覆い、該物体と前記ＩＣ媒体タッチ部との間に設けられた隙間を通してＩＣ媒体を前記ＩＣ媒体タッチ部に近づけることにより、該ＩＣ媒体とデータの授受を行うことを特徴とするＩＣ媒体対応機器。
【００１２】
請求項４の発明によれば、
ＩＣ媒体とデータの授受を行う非接触ＩＣ媒体対応機器において、
ＩＣ媒体タッチ部とその周囲に段差を設けることを特徴とするＩＣ媒体対応機器。
【図面の簡単な説明】
【００１３】
【図１】ＩＣ媒体タッチ部外観図
【図２】ＩＣ媒体タッチ部側面図
【図３】意図しないタッチのイメージ図
【発明を実施するための形態】
【００１４】
以下、本発明の一実施例として非接触ＩＣ媒体対応機器のＩＣ媒体タッチ部の、ＩＣ媒体タッチ部とＩＣ媒体タッチ部の周囲に著しい段差を付けた構造を説明する。図１は本発明による非接触ＩＣ媒体対応機器のＩＣ媒体タッチ部を簡略化した外観図であり、図２はその側面図である。図３は鞄にＩＣ媒体を入れた状態でＩＣ媒体タッチ部に接近した際のイメージ図である。なお、各図において、ＩＣ媒体はＩＣカードを想定している。
【実施例１】
【００１５】
図１において、非接触ＩＣ媒体対応機器のＩＣ媒体タッチ部筺体１はＩＣ媒体タッチ部２の上下に凸部３Ａ、３Ｂを配置する。凸部３Ａ、３Ｂ間の隙間はＩＣ媒体４がＩＣ媒体タッチ部２にタッチ可能な広さをとっている。
【００１６】
図２において、同機器が稼働状態でＩＣ媒体読取可能範囲５にＩＣ媒体４が入れば、処理が行われる。
【００１７】
もし、図３の様に、凸部３Ａ、３Ｂ間の隙間より大きな鞄６にＩＣ媒体が収納されていたならば、凸部３Ａ、３Ｂ間の隙間にあるＩＣ媒体読取可能範囲５にＩＣ媒体を入れることができない。
【００１８】
ＩＣ媒体タッチ部が、自動販売機や、交通機関や建造物等の入出場機器に用いられている場合等において、利用者が鞄や衣類のポケット等に入れているＩＣ媒体を、当該ＩＣ媒体の利用を意図しない状態で同機器に接触させた場合でも、本発明を実施した機器については、ＩＣ媒体が同機器のＩＣ媒体読取範囲には入らないので、利用者の意図に反した処理は行われない。
【産業上の利用可能性】
【００１９】
本発明の構造は、上記のとおりＩＣ媒体の誤タッチを回避するので、意図しない処理を避けることができ、利用者および事業者の金銭的損失や時間的損失を無くし、非接触ＩＣ媒体対応機器の利用者および事業者に対する信頼性の向上と利便性向上に寄与する。
【符号の説明】
【００２０】
１            ＩＣ媒体タッチ部筺体
２            ＩＣ媒体タッチ部
３Ａ、３Ｂ    凸部
４            ＩＣ媒体
５            ＩＣ媒体読取範囲
６            鞄
【図１】
2011076537.tif 000003
【図２】
2011076537.tif 000004
【図３】
2011076537.tif 000005
(57)【要約】【課題】課題は鼻に跡がつかずテンプルとセルの取り付けを調整できる眼鏡を提供する。【解決手段】鼻パッドをなくしテンプルに滑り止めを設け、滑り止めを顔の側面に当て、先セルを耳の内側に当てて眼鏡を保持装着するようにする。【選択図】図２
2011002667.tif 000002
【特許請求の範囲】
【請求項１】
鼻パッドを廃し、テンプルの途中に設けた滑り止めで顔の側面を挟んで眼鏡の重量を支え、耳の内側にテンプル先端の先セルを当て、先セルが上方にずれないように支持し眼鏡を装着することを特徴とする眼鏡。
【発明の詳細な説明】
【技術分野】
【０００１】
本発明は鼻パットの跡のつかない眼鏡に関するものである。
【背景技術】
【０００２】
従来の眼鏡は鼻パットとテンプルに取り付けた先セルで顔面に保持し装着する。
しかしこの鼻パッドにより鼻に跡がついたり痛かったりする。またテンプルに滑り止めを設けて顔を挟んで装着するものも出願されている（例えば特許文献２）が、先セルが耳輪の外側で後頭部に当たるようになっているので、滑り止めの位置を  もみあげのところに配置すると滑り止めを非常に強く挟みつけないと、先セルが上方に動き、レンズ部がずり落ちてしまう。また鼻パットと滑り止めで構成したもの（例えば特許文献１）が有るが鼻パッとが有るため鼻に跡が残る。
【先行技術文献】
【特許文献】
【０００３】
【特許文献１】特開２００７−１０２０５９号公報
【特許文献２】特開２００３−１２１８００号公報
【発明の概要】
【発明が解決しようとする課題】
【０００４】
解決しようとする問題点は、鼻に跡がつかない眼鏡を提供する事である。またテンプルの長さ及び先セルの取り付け角度を調整できるようにし、滑り止めや先セルの交換を可能とする事を課題とする。
【課題を解決するための手段】
【０００５】
本発明の、第１の手段として眼鏡フレームをリム１とテンプル２、テンプル２に設けた滑り止め３及び先セル４で構成する。
【０００６】
そしてテンプル２は少し弾力性を持ち、滑り止め３を内側に押し付けるようにする。
【０００７】
滑り止め３は顔の側面に当たるようにし、先セル４を耳の内側の窪みに差し込むようにして眼鏡を保持する。
【０００８】
第２の手段としては、滑り止め３の部分でテンプル２Ｂ及びテンプル２Ｃをネジ５Ａ及びネジ５Ｂで締める。
【発明の効果】
【０００９】
本発明によれば眼鏡を滑り止め３と先セル４で支持するので、鼻パッド６は必要なくなりリム１やブリッジ７も鼻に当たらないので鼻に跡がつかない。
【００１０】
滑り止めの位置を動かすことでレンズも動かすことになり、視力の変化に対してレンズの交換を遅らすことができる。
【００１１】
また、４の先セルの取り付け角度を変えることにより耳の形や顔の形が異なっても眼鏡を最適な位置にかける事ができるようになる。
【００１２】
退色した時、先セルや滑り止めを交換できデザイン性を高める事ができる。
【００１３】
図７や図８に示す位置に細くした先セル当てるようにすると電話する時、受話器が先セルに当たらず嫌な音がしない。
【００１４】
先セルに柔軟性持たせ曲げる事ができるようにするとよりフィットできる。
【００１５】
先セルや滑り止め、テンプルを透明素材にすると外観上装着感が無くなる。
【００１６】
先セルや滑り止めを弾力性の有る素材にすると接触部が痛くならない。
【００１７】
先セルや滑り止めを汗を吸う素材にすると汗が溜まらなくて、快適に使用できる。
【図面の簡単な説明】
【００１８】
【図１】図１はリム１テンプル２とテンプルを曲げた滑り止め３と先セル４を連結したものの図である。
【図２】図２は図１の滑り止め３を別素材で作り取り付け先セル４を真っすぐに取り付けた図である。
【図３】図３はテンプル２Ｂと２Ｃを滑り止め３の所でネジでジョイントする図である。
【図４】図４は耳の部位名を示す図である。
【図５】図５はテンプルを湾曲し先端に小さな先セルを取り付けた図である。
【図６】図６は先セルを耳輪の下側に当てた図である。
【図７】図７は先セルを対輪の下側に当てた図である。
【図８】図８は先セルを耳輪脚の下側に当てた図である。
【図９】図９は従来の眼鏡を示す図である。
【図１０】図１０は本眼鏡を顔に装着した図である。
【発明を実施するための形態】
【００１９】
実施の形態を図で示すと第１の手段として眼鏡のレンズを保持するリム１とつる状のテンプル２Ａ及該テンプルの中途部を顔に当たるように湾曲した滑り止め３Ａと先セル４、もしくは該テンプル２Ｂの中途に設けた滑り止め部材３Ｂお呼び先セル４テンプル２Ｃで構成する。
【００２０】
そしてテンプル２は少し弾力性を持ち、滑り止め３を内側に押し付けるようにする。
【００２１】
滑り止め３はこめかみ部に当たるようにし、先セル４を耳の内側に差し込むように眼鏡を装着する。
【００２２】
第２の手段としては、滑り止め３Ｂの部分でテンプル２Ｂ及びテンプル２Ｃをネジ５Ａ及びネジ５Ｂで留める。
【００２３】
図３ではネジ５Ａ，５Ｂを用いているがテンプル２Ｂテンプル２Ｃを重ねるとこのネジを１つで共用することもできる。
【実施例１】
【００２４】
リム１とテンプル２及び先セル４そして滑り止め３で構成する眼鏡の滑り止め３を頬骨の上部に当て下に落ちないようにし、先セル４を耳の内側に差し込む。このようにすると先セル４が上に上がろうとする力を耳の内側で受ける事になり眼鏡が安定する。
【００２５】
もみあげの所に滑り止め３を持って来ると跡も付きにくく、痛みも軽減できる。
【００２６】
滑り止めから耳にかけてのテンプルの部分を少し外側に湾曲しておくと耳輪等に当たらない。
【産業上の利用可能性】
【００２７】
鼻パッドが必要なくなり製造がしやすくなり、軽量化でき鼻に痛みや跡が残らない。
【符号の説明】
【００２８】
１    リム
２，２Ａ，２Ｂ，２Ｃ    テンプル
３，３Ａ，３Ｂ    滑り止め
４  先セル
５Ａ，５Ｂ    ネジ
６    鼻パッド
７    ブリッジ
８    耳輪
９    対輪
１０    耳輪脚
１１    耳珠
１２    耳甲介
１３    耳垂
Ｍ    耳
Ｏ    眼鏡
【図１】
2011002667.tif 000003
【図２】
2011002667.tif 000004
【図３】
2011002667.tif 000005
【図４】
2011002667.tif 000006
【図５】
2011002667.tif 000007
【図６】
2011002667.tif 000008
【図７】
2011002667.tif 000009
【図８】
2011002667.tif 000010
【図９】
2011002667.tif 000011
【図１０】
2011002667.tif 000012
(57)【要約】【課題】  起伏のある被測定物に測定プローブを高速で接近させ、かつ被測定物への物理的影響を最小限に抑える。【解決手段】  測定プローブ先端部を覆いかつ測定プローブ先端部でスライド可能なプローブキャップと、そのプローブキャップが測定プローブから脱落するのを防ぎかつ被測定物に接触するまでは測定プローブ先端面とプローブキャップ内部が一定の隙間を保つように支持するプローブキャップ支持部と、プローブキャップがプローブキャップ支持部から浮き上がったことにより被測定物との接触を検出する接触検出部と、接触検出後に測定プローブ先端面とプローブキャップ内部に設定した距離を残して停止させる機能を持たせた。【選択図】図１
2011002440.tif 000002
【特許請求の範囲】
【請求項１】
測定プローブ上下軸と、測定プローブ先端部を覆いかつ測定プローブ先端部でスライド可能なプローブキャップと、そのプローブキャップが測定プローブから脱落するのを防ぎかつ被測定物に接触するまでは測定プローブ先端面とプローブキャップ内部が一定の隙間を保つように支持するプローブキャップ支持部と、プローブキャップがプローブキャップ支持部から浮き上がったことにより被測定物との接触を検出する接触検出部と、接触検出後に測定プローブ上下軸を測定プローブ先端面とプローブキャップ内部に設定した距離を残して停止させる機能を持つことを特徴とする被測定物への測定プローブ接近装置。
【発明の詳細な説明】
【技術分野】
【０００１】  本発明は、起伏のある被測定物表面近傍の磁界または電界またはその両方の測定を行う測定機において、被測定物に測定プローブを接近させる装置に関する物である。
【背景技術】
【０００２】  従来の近傍磁界または近傍電界またはその両方を測定する測定機は、測定プローブ下降中に測定プローブとその固定機構が被測定物に接触して持ち上がることにより被測定物との接触を検出して下降動作を停止させ、その後、測定に必要な隙間をあけるために上昇させていた。【０００３】  特許文献１は、接触検出部がリング状であり被測定物の表面突起がプローブ先端径より小さい場合にプローブ先端面の保護ができない。また接触検出後に測定プローブ先端面と被測定物に設定した隙間を残して停止させる機能を備えていない。
【先行技術文献】
【特許文献】
【０００４】
【特許文献１】  特開２００１−１４７１１５号公報
【発明の概要】
【発明が解決しようとする課題】
【０００５】  接触時に測定プローブとその固定機構の重量および慣性力が被測定物に加わるため、測定プローブを低速で下降させる必要があった。また下降動作停止後に測定に必要な隙間をあけるための上昇動作も必要であった。これらが測定時間増大の原因になっており、特に被測定物表面を走査測定する種類の測定機の場合、測定時間の長さが深刻な問題になっていた。さらに測定プローブとその固定機構の重量により被測定物を変形させてしまうことがあるという問題もあった。
【課題を解決するための手段】
【０００６】  本発明は、測定プローブ先端部を覆いかつ測定プローブ先端部でスライド可能なプローブキャップと、そのプローブキャップが測定プローブから脱落するのを防ぎかつ被測定物に接触するまでは測定プローブ先端面とプローブキャップ内部が一定の隙間を保つように支持するプローブキャップ支持部と、プローブキャップがプローブキャップ支持部から浮き上がったことにより被測定物との接触を検出する接触検出部と、接触検出後に測定プローブ先端面とプローブキャップ内部に設定した距離を残して停止させる機能を持たせることにより上記問題を解決するものである。
【発明の効果】
【０００７】測定時間の短縮、および被測定物への物理的負担軽減。
【図面の簡単な説明】
【０００８】
【図１】  測定プローブを被測定物に接近させる前の状態である。
【図２】  測定プローブが被測定物に接触した直後の状態である。
【図３】  測定プローブ先端面とプローブキャップ内部に設定した隙間を残して停止した状態である。
【発明を実施するための形態】
【０００９】  測定プローブ１の先端部はプローブキャップ２によって覆われている。プローブキャップ２は自重で測定プローブ１から滑り落ち、プローブキャップ２上部の段差がプローブキャップ支持部３に乗って停止している。プローブキャップ２が被測定物５に接触するまでは測定プローブ１先端面とプローブキャップ２内部には定常隙間Ｄ１がある。
【００１０】  接触検出部４には透過式光電スイッチを使い遮光または入光によってプローブキャップ３の浮き上がりを検出する。この方式が性能とコスト面でのバランスに優れるが、その他の非接触式スイッチや接触式スイッチや変位量センサーでも代用できる。
【００１１】  測定プローブ上下軸６に下降開始を指示する。この時点での測定プローブ上下軸６の停止目標位置は測定プローブ１と被測定物５が確実に干渉する位置に設定する。
【００１２】  測定プローブ上下軸６下降中にプローブキャップ２先端が被測定物５に接触するとプローブキャップ２上部の段差がプローブキャップ支持部３から浮き上がる。この浮き上がりを接触検出部５が検出し、その瞬間の測定プローブ上下軸６の現在位置を取得する。
【００１３】  その後、測定プローブ上下軸６に対して停止目標位置の変更を指示する。市販の透過式光電スイッチを使った場合でも接触検出遅れ時間は３０マイクロ秒前後であり、接触検出時の測定プローブ１先端面とプローブキャップ２内部との隙間Ｄ２は定常隙間Ｄ１にほぼ等しいと考えて良い。つまり測定プローブ上下軸６の新しい停止目標位置は「接触検出時の測定プローブ上下軸６位置＋定常隙間Ｄ１−測定に必要な隙間Ｄ３」から算出できる。停止目標位置の変更により、測定プローブ上下軸６は測定プローブ１先端面とプローブキャップ２内部に隙間Ｄ３を残して停止する。
【００１４】  これら一連の動作中に被測定物５と接触するのは小型軽量部品であるプローブキャップ２だけのため、測定プローブ上下軸６を高速で下降させても被測定物５に加わる物理的影響は僅かである。加えて１回の移動動作だけで測定に必要な隙間が確保可能なため大幅な測定時間の短縮ができる。
【符号の説明】
【００１５】１  測定プローブ
２  プローブキャップ
３  プローブキャップ支持部
４  接触検出部
５  被測定物
６  測定プローブ上下軸
７  測定プローブ固定部
【図１】
2011002440.tif 000003
【図２】
2011002440.tif 000004
【図３】
2011002440.tif 000005
(57)【要約】【課題】パン・クッキー（匂いが移りたくない）魚肉・動物肉等の食物を別々に加熱調理する複数の調理室の機能を有するオーブントースターを提供する。【解決手段】調理室の上部又は側面に複数の調理室の収容空間（下部と同等又は保温室・保存室）を設けて複数の調理室が単独での機能を付加する。【選択図】図１
2011002212.tif 000002
【特許請求の範囲】
【請求項１】
外装体の前面開口部を開閉する扉を２ヶ所以上設け、外装体の各内部にヒーターを備えた調理室及び複数の調理室にヒーター機能を構成した複数調理室を有するオーブントースター。
【請求項２】
調理室の上面・側面に設けた請求項１記載のオーブントースター。
【請求項３】
調理室と調理室との間に遮板とを設け、隣室の調理した煙及び匂いを完全に遮断する機能により形成されるように構成した請求項１又は２記載のオーブントースター。
【請求項４】
外装体の前面開口部を開閉する扉を設け、外装体、複数の調理室の内部にヒーターを備えた請求項３の機能を構成したオーブントースター。
【請求項５】
外装体の前面開口部を開閉する扉を設け、外装体の内部に個別のヒーターを備えた調理室を有し、例えば調理室（１）では魚類を焼き調理室（２）では肉類を焼き調理室（３）ではパン、クッキー等を同時に調理することができる事を構成した請求項４の機能を構成したオーブントースター。
【請求項６】
調理室を複数設けることにより、室内の匂いが魚類は（１）肉類は（２）パン・クッキー等は（３）と決めて調理すれば素材が損なわれることなく役割をはたせるように構成した請求項５記載のオーブントースター。
【発明の詳細な説明】
【発明の詳細な説明】
【技術分野】
【０００１】本発明は、一般家庭用のオーブントースターに関する。
【背景技術】
【０００２】従来のオーブントースターの一般的な構造は、外装体の内部に上下にヒーターを備えた調理室を有し、上下ヒーターの間に焼き網を設け、外装体の前面開口部を開閉する扉を取り付けている。
そして、調理室と外装体や制御回路の間に遮熱板を設けて外装体や制御回路が熱くなるのを防いで、いるだけで調理室を複数個配設するという発想がなかった。
【発明が解決しようとする課題】
【０００３】従来のオーブントースターにあっては、パン、ピザ、魚肉、畜産肉等の食物を一つのオーブントースターで加熱調理するために非常に嫌な匂いと煙等がミックスしてしまい雑臭となり本来の味を大幅に損ねることがあり、最悪の時は、お互いの匂いで異臭となる場合もある。
【０００４】本発明は、この問題点を解決して、パン等の食物と魚類・肉類を同時に加熱調理しても匂い、煙などの嫌な匂いが他の調理品に移らず、素材本来の加熱調理できる遮断板又は個別の調理室機能を有するオーブントースターを提供することを目的としている。
【課題を解決するための手段】
【０００５】上記目的を達成するために、本発明は、ヒーターを備えた複数の調理室を設けて、パン、クッキー調理室、魚類調理室、肉類調理室等の複数の食物を加熱調理すると同時に、調理室が別々の調理室に分かれている為、必要な調理室だけの単独で使用が可能な機能を付加することとしている。
【０００６】上記調理室を設ける位置は、オーブントースター本体内部の適当な場所とすることが可能であるが、調理室ヒーターの熱が調理室の上方に上昇することから、保温機能として使用する時は調理室の上、側面に設けることが効果的であるが用途により選択する。
【０００７】パン、魚肉、食肉など温める物の種類により調理の加熱時間は異なり、厚さも形状など多様である。そこで特定の調理室を決めてあれば、適度に温める温度を調節できることが好ましい。
【０００８】また、ヒーターを備えた調理室を複数設けて、さらにこの調理室内を使用しない時は余熱によりパン生地等の発酵室としての機能を付加することとしている。
【０００９】ヒーターを備えた調理室の温度を調節する手段としては、調理室のヒーターの制御回路は別々に固有の制御回路を備える場合と同一の回路を備える場合がある。
【図面の簡単な説明】
【００１０】
【図１】  本発明の実施形態を示すオーブンレンジの図面
【図２】  本発明の実施形態を示すオーブンレンジの指示書
【符号の説明】
【００１１】  １    調理室・上
２    調理室・下
３    内筐体
４    上ヒーター
５    下ヒーター
６    焼網
７    扉
７ａ    ガラス
８    受け皿
９    前板
１０    タイマー
１１    温度調整器
１２    電源
１３    外筐体
【図１】
2011002212.tif 000003
【図２】
2011002212.tif 000004
(57)【要約】【課題】従来の商店店舗の店頭に設置される看板は二次元で表現されるものが多く、また据え置き型で可変できるものではないため、合理的でなくまた訴求性に乏しいものが多い。【解決手段】本体招き猫の腹部部分に上下レールを設け、その部分に厚みのある小判を模したカード型案内板を脱着可能な構造とする。もって開閉店の案内およびセール等の案内の臨機応変な対応が可能となり、顧客への訴求力を高める。【選択図】 図１
2011002593.tif 000002
【特許請求の範囲】
【請求項１】
まねき猫という、江戸時代を起源とし商売繁盛の縁起物として知られる図柄を利した招福まねき猫看板。
【請求項２】
平面的なまねき猫図の腹部部分にレール状の溝を付け、店舗の案内表示を立体化させた招福まねき猫看板。
【請求項３】
店舗の案内表示は、小判を模したカード型案内板を紙芝居的に交換する事によって、商店の開店閉店等案内を臨機応変に可変し表示できる事を特徴とする招福まねき猫看板。
【請求項４】
まねき猫図柄を貼った看板上部に吊し穴を設け、壁掛けでの使用も可能とした招福まねき猫看板。
【発明の詳細な説明】
【技術分野】
【０００１】
本発明は、まねき猫という江戸時代を起源とし商売繁盛の縁起物として知られる図柄を使用し、平面的なまねき猫の腹部部分にレール状の溝を付け立体化させ、その部位に小判を模したカード型案内板を紙芝居的に交換する事によって、商店の開店閉店等案内を可変的に表示する事を可能とした看板。
【背景技術】
【０００２】
商売繁盛の縁起物として、店頭に飾られるまねき猫は平面図や絵画、もしくは置物のような立体的な構造。
【発明の概要】
【発明が解決しようとする課題】
【０００３】
従来の商店店舗の店頭に設置される看板は二次元で表現されるものが多く、また据え置き型で可変できるものではないため、合理的でなくまた訴求性に乏しいものが多い。
【課題を解決するための手段】
【０００４】
商売繁盛の縁起物として馴染深いまねき猫の図案を利用して、本体招き猫の腹部部分に上下のレール状の溝を設け、その腹部部位に小判を模したカード型案内板を紙芝居的に交換可能な構造とする。
【発明の効果】
【０００５】
本発明は、招き猫という江戸時代を起源とし商売繁盛の縁起物として知られる図柄をより親しみやすく図案化して使用し、その平面的な招き猫の腹部部分にレール状の溝を付け立体化させ、その部位に小判を模したカード型案内板を紙芝居的に交換可能な構造とする事によって、商店の開店閉店等案内の臨機応変な対応が可能となり、顧客に対する訴求効果を高め、以て集客力を高める事が出来る。
【図面の簡単な説明】
【０００６】
【図１】招福招き猫看板の全体を示した平面図である。
【図２】案内板を脱着するためのコの字形の溝になったレール部分を示した平面図である。
【図３】全カードを抜いた状態時の固定文字を示した平面図である。
【図４】スライドする案内板を示した平面図である。
【図５】図４の裏側の文字列を示した平面図である。
【図６】招福まねき猫看板を吊るして使用する場合の吊るし穴を示した平面図である。
【発明を実施するための形態】
【０００７】
請求項１によれば、まねき猫という、江戸時代を起源とし商売繁盛の縁起物として知られる図柄を使用していることを特徴とするものである。
【０００８】
請求項２によれば、平面的なまねき猫図の腹部部分に図２の様にコの字形になったレール状の溝を付け、店舗の案内表示を立体化させたを特徴とするものである。
【０００９】
請求項３によれば、店舗の案内表示は、図３および図４および図５のように小判を模したカード型案内板を紙芝居的に交換する事によって、商店の開店閉店等案内を臨機応変に可変し表示できる事を特徴とする請求項１又は２記載の看板。
【００１０】
請求項４によれば、看板上部に吊し穴を設け、壁掛けでの使用も可能とした請求項１又は２又は３記載の看板。
【図１】
2011002593.tif 000003
【図２】
2011002593.tif 000004
【図３】
2011002593.tif 000005
【図４】
2011002593.tif 000006
【図５】
2011002593.tif 000007
【図６】
2011002593.tif 000008